(57)【特許請求の範囲】
【請求項１】
一対の面材を突き合わせて連結し、内部を中空体状とした収納扉であって、
一対の面材の少なくとも一方を開口部を有する化粧面材とし、この化粧面材の面板部内面に当該開口部を塞ぐ目隠し材を配置するとともに、この目隠し材を前記化粧面材の面板部に押し当てる押当て部材を当該化粧面材の周縁に着脱可能に係合させ、この押当て部材を挟むように化粧面材に他方の面材である被覆面材を突き合わせて、これらの面材同士を前記押当て部材を介して連結してなることを特徴とする収納扉。
【請求項２】
目隠し材をシート状のものにする一方、化粧面材の周縁に被覆面材側への折曲部を形成し、押当て部材を当該折曲部に回動によって係合させるように構成して、係合動作時に押し当て部材が目隠し材上を滑り動くようにしている請求項１記載の収納扉。
【請求項３】
押当て部材の被覆面材側に止着孔を設けるとともに、折曲部の所定位置に切欠窓を形成して、この切欠窓を設けた位置において押当て部材を折曲部に係合させるとともに、被覆面材の対応位置に止着具の挿通孔を設けている請求項２記載の収納扉。
【請求項４】
被覆面材の周縁に化粧面材側への折曲部を形成し、この折曲部の一部を、押当て部材の一部に設けた溝に差し込んで係合させるようにしている請求項１〜３何れかに記載の収納扉。
【請求項５】
被覆面材の面板部から化粧面材に向けて当該被覆面材の面板部を縦断もしくは横断する補強材を突出させ、この補強材を前記目隠し材を押し付ける補助押当て部材としている請求項１〜４何れかに記載の収納扉。
【請求項６】
シート材が不織布である請求項１〜５何れかに記載の収納扉。
【請求項７】
請求項１〜６何れかに記載の収納扉を、内部に収納空間を有する本体部の当該収納空間を開閉する位置に適用したことを特徴とする収納家具。
【発明の詳細な説明】
【技術分野】
【０００１】
本発明は、面板部にパンチ孔等の開口部を有する収納扉及びこれを適用した収納家具に関するものである。
【背景技術】
【０００２】
従来、内部に収納空間を有した本体部と、前記収納空間の開口縁部を開閉し得る扉とを具備した収納家具が広く知られている。
【０００３】
このうち、軽量化や低コスト化の観点から、扉をスチール等の金属素材のものにしたものも種々利用に供されている。この種の扉は、表面材と裏面材とを突き合わせて連結することによって中空体状に構成され、その中空部に、扉を本体部に係止させるためのラッチ爪や、このラッチ爪を作動させるためのラッチ棒等の伝達機構が配置されている。
【先行技術文献】
【特許文献】
【０００４】
【特許文献１】特開２００４−８９２１７号公報
【発明の概要】
【発明が解決しようとする課題】
【０００５】
ところで、このようなスチール素材を用いると、開閉時に面板部全体がうねって異音が発生したり、表面が意匠的に単調になり易い。そこで、扉の面板部にパンチ孔等の開口部を設けておくことが一つの有効な手段として考えられる。
【０００６】
ところが、このような開口部を設けた場合、開口部の大きさや密度によっては、扉内部の機構部材が見えてしまい、外観を損なうばかりか、開口部を介してラッチ棒等の解除操作ができてしまい、防盗上、望ましくない。
【０００７】
本発明は、このような課題を簡単な構造で有効に解決した収納扉及びこれを適用した収納家具を提供することを目的としている。
【課題を解決するための手段】
【０００８】
本発明は、かかる目的を達成するために、次のような手段を講じたものである。
【０００９】
すなわち、本発明の収納扉は、一対の面材を突き合わせて連結し、内部を中空体状としたものであって、一対の面材の少なくとも一方を開口部を有する化粧面材とし、この化粧面材の面板部内面に当該開口部を塞ぐ目隠し材を配置するとともに、この目隠し材を前記化粧面材の面板部に押し当てる押当て部材を当該化粧面材の周縁に着脱可能に係合させ、この押当て部材を挟むように化粧面材に他方の面材である被覆面材を突き合わせて、これらの面材同士を前記押当て部材を介して連結してなることを特徴とする。
【００１０】
このような目隠し材を設ければ、開口部から収納扉の中空部が視認し得ないものとなり、意匠的な外観を確保するとともに、防盗にも有効なものとなる。そして、目隠し材を押当て部材によって化粧面材の面板部に押し当てているので、扉を開閉した際の振動で目隠し材に脱落や位置ずれを起こすことを防止することができる。その上、その押当て部材を利用して面材同士を連結しているので、別途に面材同士を連結する部材を不要とすることができる。
【００１１】
開口部の裏面側が滑らかでない場合等を考慮すれば、目隠し材をシート状のものにする一方、化粧面材の周縁に被覆面材側への折曲部を形成し、押当て部材を当該折曲部に回動によって係合させるように構成して、係合動作時に押し当て部材が目隠し材上を滑り動くようにしていることが効果的である。
【００１２】
被覆面材の挿通孔に対して押当て部材の止着孔の位置決めを適切に行うためには、押当て部材の被覆面材側に止着孔を設けるとともに、折曲部の所定位置に切欠窓を形成して、この切欠窓を設けた位置において押当て部材を折曲部に係合させるとともに、被覆面材の対応位置に止着具の挿通孔を設けていることが有効である。
【００１３】
押当て部材を利用して、被覆面材の取付状態をより安定させるためには、被覆面材の周縁に化粧面材側への折曲部を形成し、この折曲部の一部を、押当て部材の一部に設けた溝に差し込んで係合させるようにしていることが望ましい。
【００１４】
扉としての強度を高め、同時に目隠し材の取付状態をより確実なものにするためには、被覆面材の面板部から化粧面材に向けて当該被覆面材の面板部を縦断もしくは横断する補強材を突出させ、この補強材を前記目隠し材を押し付ける補助押当て部材としていることが好ましい。
【００１５】
特に、シート材に不織布を用いていることが効果的である。
【００１６】
以上のような収納扉を、内部に収納空間を有する本体部の当該収納空間を開閉する位置に適用して収納家具を構成すれば、当該収納扉に開口部を有することによって化粧面材に意匠的な変化を付与し且つ異音の発生が抑えられるようにしても、外観の毀損を回避し、防盗性も有効に確保することが可能となる。
【発明の効果】
【００１７】
本発明の収納扉は、以上説明した構成であるから、化粧面材として利用する収納扉に開口部を設けても、扉内部の機構部品を目隠し材によって外部から視認されないように目隠しすることができるので、収納扉の外観を有効に担保し、また機構部品の構造を察知されて不正な開錠操作をするといったことも防いで防盗性を有効に高めることが可能となる。
【図面の簡単な説明】
【００１８】
【図１】本発明の一実施形態に係る収納扉を適用した収納家具の斜視図。
【図２】右側の収納扉の分解斜視図。
【図３】図２の更なる分解斜視図。
【図４】右側の収納扉の表面材と裏面材を示す模式的な断面図。
【図５】同収納扉の表面材と裏面材を押付け部材を介して連結する様子を示す部分的な斜視図。
【図６】同収納扉の表面材と裏面材を押付け部材を介して連結する様子を示す模式的な断面図。
【発明を実施するための形態】
【００１９】
以下、本発明の一実施形態を、図面を参照して説明する。
【００２０】
図１に示す収納家具Ａは、内部に収納空間を有する本体部１と、この本体部１の収納空間Ｓを開閉する左右の収納扉２ａ、２ｂとを備えたスチール製のものである。図２及び図３は右側の収納扉２ａを示しており、一対の面材である表面材３および裏面材４を突き合わせて連結し、内部を中空体状とするものである。
【００２１】
表面材３は、収納扉２ａの表面を形成する面板部３１と、この面板部３１の上端部及び下端部を折り曲げて形成した上折曲部３２及び下折曲部３３と、前記面板部３１の反吊元側の端部を折り曲げて形成した反吊元側折曲部３４と、前記面板部３１の吊元側の端部を折り曲げて形成した吊元側折曲部３５とを具備してなる矩形状のもので、面板部３１の全面および折曲部３２〜３５の少なくとも一部に開口部であるパンチ孔３ｘが所要の大きさ、所要の密度で設けてあり、化粧面材としての意匠性を付与している。この実施形態のパンチ孔３ｘは直径１ｍｍである。勿論、これ以上であっても構わず、また、吸音効果を確保するためには開口率が３０％以上になるように孔径やピッチを設定することが好ましい。各折曲部３２〜３５は、図４に示すように、面板部３１の端部を後方、内方及び前方へ折り曲げて外折曲片３ａ、面板対向片３ｂおよび内折曲片３ｃを形成したものである。そして、本実施形態においては、図１〜図３等に示すように、表面材３の面板部３１の一部に矩形孔３６を設けて把手ケース５１を装着し、上折曲部３２及び下折曲部３３の一部にラッチ爪５２を組みつけ、把手ケース５１とラッチ爪５２との間を伝達機構を構成する伝達軸５３で連結している。吊元側折曲部３５にはヒンジ機構の一部を持ち出すための切欠３７が設けてある。
【００２２】
一方の裏面材４は、前記表面材３の面板部３１より外形の若干小さい面板部４１と、この面板部４１の上端部及び下端部を折り曲げて形成した上折曲部４２及び下折曲部４３と、前記面板部４１の反吊元側の端部を折り曲げて形成した反吊元側折曲部４４と、前記面板部４１の吊元側の端部を折り曲げて形成した吊元側折曲部４５とを具備してなる矩形状のもので、各折曲部４２〜４５は、図４に示すように、面板部４１の端部を前方に折り曲げた外折曲片４ａのほか、必要に応じて内方に折り曲げた面板対向片４ｂを形成している。そして、この裏面材４が前記表面材３の折曲部３２〜３５の内側に嵌め込まれて連結され、被覆面材として機能する。面板部４１には、図２及び図３に示すように、上折曲部４１から下折曲部４２に至るまで縦断する断面ハット型の補強材４０が溶接等により取り付けてある。この補強材４０の突出高さは、図４に示した面板部４１から折曲部４２〜４５の面板対向片４ｂまでの内法寸法に略一致している。図２及び図３に示す吊元側折曲部４５にはヒンジ機構の一部を持ち出すための切欠４７が設けてある。
【００２３】
そして、本実施形態では、図５及び図６（ａ）に示すように、表面材３の面板部３１の内面にパンチ孔３ｘを塞ぐ目隠し材たるシート材６を配置し、このシート材６の上から当該シート材６を表面材３の面板部３１に押し当てる押当て部材７を図２及び図６（ｂ）に示すように当該表面材３の周縁の折曲部３２〜３４に着脱可能に係合させ、この押当て部材７を挟むように表面材３に裏面材４を突き合わせて、これらの面材３、４同士を図６（ｃ）に示すように押当て部材７を介して連結するようにしている。
【００２４】
そのために、図５に示すように表面材３の折曲部３２〜３４の所定箇所における内折曲片３ｃの一部を更に面板部３１に平行な方向に切り起こし、これにより内折曲片３ｃに切欠窓３ｄを形成すると同時に、折曲部３２〜３４内に切り起こし片３ｅを挿入している。
【００２５】
一方、押当て部材７は、樹脂一体成型されたもので、折曲部３２〜３４の長手方向に沿って所定位置すなわち切欠窓３ｄが設けられた部位に位置決め状態で取り付けられる。具体的にこの押し当て部材７は、図６（ｂ）に示す取付状態において、折曲部３２〜３４の長手方向に平行な溝７１と、溝７１の先端側にあって折曲部３２〜３４内に潜り込む先端部７２と、溝７１の基端側にあって表面材３１の裏面に対向する基端部７３とを具備するもので、基端部７３の裏面側に円環状の突起７４を設け、この突起７４の中心部に止着孔７５ａを有するナット７５を、軸心が円環の軸心に合致するようにインサート成型している。先端部７２には、切欠窓３ｄに斜め方向から進入することで一時的に弾性変形した後に切り起こし片３ｅの先端で復元する弾性爪７６と、係合位置で外折曲片３ａおよび面板対向片３ｂの内面にそれぞれ当接する第１、第２の当接面７７，７８と、斜め方向から進入する際に弾性爪７６を面板部３１に近づけるために肉抜きしたテーパ部７９とが設けてある。
【００２６】
他方、図５に示す裏面材４の折曲部４２〜４４のうち、前記切欠窓３ｄの対応位置には、面板対向片４ｂおよび外折曲片４ａの一部を切除して、表面材３に突き合わせた際に前記押当て部材７の溝７１に差し込まれる差込み片４ｄと、各押当て部材７の円環状の突起７４に対応する位置に円錐状に深絞り加工した隆起部４ｆとが設けてあり、この隆起部４ｆの中心に止着具たるねじＶを挿通させる挿通孔４ｇが開口させてある。
【００２７】
シート材６は、図３に示すように不織布により構成され、表面材３の面板部３１の広さよりも若干小さい矩形状にカットされたもので、把手ケース５１に対応する部位など、機構部品と干渉する部位に切欠部６０が設けてある。
【００２８】
次に、この収納扉２ａの組立手順について説明する。先ず、図５に示すように表面材３の面板部３１の裏面にシート材６を重合させて配置し、図１に示すように把手ケース５１やラッチ爪５２、伝達軸５３等を組み込む。しかる後、図５に示す表面材３の切欠窓３ｄが設けられた部位に図６（ａ）に示すように押当て部材７の先端部７２を斜めから差し込み、弾性爪７６が切り起こし片３ｅの先端に係合した位置で押当て部材７を回動させることによって、同図（ｂ）に示すように第１、第２の当接面７７、７８がそれぞれ外折曲片３ａおよび面板対向片３ｂの内面に当接した状態で係合する。この状態では、図５に示す押当て部材７の両側面７ａに切欠窓３ｄの側縁３ｄ１が係合するなどして折曲部３２〜２４の長手方向に位置決めされ、上記とは逆方向に押当て部材７を回動させて引き抜かない限り、表面材３との係合が解除されることがなくなる。係合動作時には、押当て部材７はシート材６上を滑り動くことができる。
【００２９】
そして、図６（ｂ）→（ｃ）に示すように、表面材３の折曲部３２〜３５の内側の開口縁に裏面材４を嵌め込む。そして、裏面材４の隆起部４ｆの反対側の凹み４ｈから挿通孔４ｇにねじＶを挿通し、このねじＶを押当て部材７の止着孔７５ａに螺合させて締結することによって、表面材３と裏面材４を押当て部材７を介して連結する。ねじＶの頭は凹み４ｈ内に埋没する。この状態において、裏面材４の面板部４１の外面と、表面材３の折曲部３２〜３５の面板対向片３ｂとは略面一な状態となる。
【００３０】
左側の収納扉２ｂも、把手ケース５やラッチ爪５２、伝達軸５３等を組み込んでいない点以外は、右側の収納扉２ａとほぼ同様の構成からなる。
【００３１】
以上のように、本実施形態の収納扉２ａ、２ｂは、一対の面材である表面材３と裏面材４を突き合わせて連結し、内部を中空体状としたものであり、表面材３を開口部たるパンチ孔３ｘを有する化粧面材とし、この表面材３の面板部３１の内面にパンチ孔３ｘを塞ぐ目隠し材たるシート材６を配置するとともに、このシート材６を表面材３の面板部３１に押し当てる押当て部材７を表面材３の周縁に着脱可能に係合させ、この押当て部材７を挟むように表面材３に裏面材４を被覆面材として突き合わせて、これらの面材３、４同士を押当て部材７を介して連結したものである。
【００３２】
このようなシート材６を設けることで、パンチ孔３ｘから収納扉３ａの中空部が視認し得ないものとなり、良好な外観を確保するとともに、防盗にも有効なものとすることができる。そして、シート材６を押当て部材８によって表面材３の面板部３１に押し当てているので、収納扉３ａを開閉した際の振動でシート材６に脱落や位置ずれを起こすことを防止することができ、その押当て部材７を利用して面材３、４同士を連結するので、別途に面材同士を連結する部材も不要とすることができる。
【００３３】
特に、目隠し材にシート材６を用いるとともに、表面材３の周縁に裏面材４側への折曲部３２〜３５を形成し、押当て部材７を折曲部３２〜３４に回動によって係合させるように構成して、係合動作時に押当て部材７がシート材６上を滑り動くようにしているので、パンチ孔３ｘを打ち抜くことによって表面材３の面板部３１の裏面が滑らかでない場合にも、押当て部材７を円滑に作動させることができ、取り付けの便を向上させることができる。
【００３４】
この場合、押当て部材７の裏面材４側に止着孔７５ａを設けるとともに、折曲部３２〜３４の所定位置に切欠窓３ｄを形成して、この切欠窓３ｄを設けた位置において押当て部材７を折曲部３２〜３４に係合させるとともに、裏面材４の対応位置にねじＶの挿通孔４ｇを設けているので、裏面材４の挿通孔４ｇに対して押当て部材７の止着孔７５ａの位置決めを簡単、適切に行うことができる。
【００３５】
また、裏面材４の周縁に表面材３側への折曲部４２〜４４を形成し、この折曲部４２〜４４の一部に設けた差込片４ｄを、押当て部材７の一部に設けた溝７１に差し込んで係合させるようにしているので、押当て部材７を利用して裏面材４の取付状態をより安定させることができる。
【００３６】
さらに、裏面材４の面板部４１から表面材３に向けて当該裏面材４の面板部４１を縦断もしくは横断する補強材４０を突出させ、この補強材４０を、シート材６を押し付ける補助押当て部材としているので、補強材４０が面板部４１の補強とともに面材３、４間のべこつきを防止するだけでなく、この補強材４０によっても目隠し材７の脱落や位置ずれを防止することができる。
【００３７】
さらにまた、シート材７に不織布を用いているので、目隠し効果と同時に吸音効果も得られることになり、スチール製であっても開閉時の異音を極力抑えた格調の高いものにすることができる。
【００３８】
そして、以上のような収納扉２ａ、２ｂを、内部に収納空間を有する本体部１の当該収納空間を開閉する位置に適用して収納家具Ａを構成しているので、当該収納扉２ａ、２ｂがパンチ孔３ｘを有することによって表面材３に意匠的な変化を付与し且つ異音の発生が抑えられるようにしても、外観の毀損を回避し、防盗性も有効に確保することが可能となる。
【００３９】
なお、各部の具体的な構成は、上述した実施形態のみに限定されるものではない。
【００４０】
例えば、上記実施形態では折曲部のうちの３辺に押当て部材を係合させたが、シート材を適切に押さえ付けることができれば、対向２辺でもよく、或いは必要に応じて４辺に係合させても構わない。
【００４１】
また、上記実施形態では開口部はパンチ孔であったが、他の形態の開口部であっても本発明を適用することによって同様の効果が奏される。
【００４２】
さらに、目隠し材は粘着材・接着剤等で貼り付けても良い。
【００４３】
その他の構成も、本発明の趣旨を逸脱しない範囲で種々変形が可能である。
【符号の説明】
【００４４】
２ａ、２ｂ…収納扉
３…化粧面材（表面材）
３ｄ…切欠窓
３ｘ…開口部（パンチ孔）
４…被覆面材（裏面材）
４ｄ…差込片
４ｇ…挿通孔
６…目隠し材（シート材）
７…押当て部材
３１…面板部
３２、３３、３４、３５…折曲部
４０…補助押当て部材（補強材）
４１…面板部
４２、４３、４４、４５…折曲部
７１…溝
７５ａ…止着孔
Ａ…収納家具
Ｖ…ねじ
【図１】
0005816861.tif 000002
【図２】
0005816861.tif 000003
【図３】
0005816861.tif 000004
【図４】
0005816861.tif 000005
【図５】
0005816861.tif 000006
【図６】
0005816861.tif 000007